(57)【特許請求の範囲】
【請求項１】
固定の場所に設置された情報発信装置と、認証装置と、認証管理サーバとを備え、上記情報発信装置から発信される情報に基づいて認証を行う位置情報を用いた認証システムであって、
上記情報発信装置は、
上記固定の場所を表す位置情報および第１識別情報として発行のたびに値が変動するワンタイムＩＤを含む第１認証情報を発信する第１認証情報発信部を備え、
上記認証装置は、
上記情報発信装置から発信された上記第１認証情報を受信し、当該第１認証情報を上記認証管理サーバに送信する第１認証情報送受信部と、
上記認証管理サーバから送信された第２識別情報を受信する第２識別情報受信部と、
上記第１認証情報送受信部により受信された上記第１認証情報のうちの上記第１識別情報と、上記第２識別情報受信部により受信された上記第２識別情報とを照合して認証を行う第２認証処理部とを備え、
上記認証管理サーバは、
上記認証装置から送信された上記第１認証情報を受信する第１認証情報受信部と、
認証を許可する場所を表す位置情報および上記第１識別情報として上記情報発信装置の上記第１認証情報発信部が発信するワンタイムＩＤと同じワンタイムＩＤを含む第２認証情報を記憶する第２認証情報記憶部と、
上記第１認証情報受信部により受信された上記第１認証情報と上記第２認証情報記憶部に記憶されている上記第２認証情報とを照合して認証を行う第１認証処理部と、
上記第１認証処理部による認証が成功した場合、上記第２識別情報として、発行のたびに値が変動するワンタイムＩＤであって、上記第２認証情報記憶部に記憶されたワンタイムＩＤと同じ値のワンタイムＩＤを上記認証装置に送信する第２識別情報送信部とを備えたことを特徴とする位置情報を用いた認証システム。
【請求項２】
固定の場所に設置された情報発信装置と、認証装置と、認証管理サーバとを備え、上記情報発信装置から発信される情報に基づいて認証を行う位置情報を用いた認証システムであって、
上記情報発信装置は、
上記固定の場所を表す位置情報および第１識別情報として発行のたびに値が変わらない固定ＩＤを含む第１認証情報を発信する第１認証情報発信部を備え、
上記認証装置は、
上記情報発信装置から発信された上記第１認証情報を受信し、当該第１認証情報を上記認証管理サーバに送信する第１認証情報送受信部と、
上記認証管理サーバから送信された第２識別情報を受信する第２識別情報受信部と、
上記第１認証情報送受信部により受信された上記第１認証情報のうちの上記第１識別情報と、上記第２識別情報受信部により受信された上記第２識別情報とを照合して認証を行う第２認証処理部とを備え、
上記認証管理サーバは、
上記認証装置から送信された上記第１認証情報を受信する第１認証情報受信部と、
認証を許可する場所を表す位置情報および上記第１識別情報を含む第２認証情報を記憶する第２認証情報記憶部と、
上記第１認証情報受信部により受信された上記第１認証情報と上記第２認証情報記憶部に記憶されている上記第２認証情報とを照合して認証を行う第１認証処理部と、
上記第１認証処理部による認証が成功した場合、上記第２識別情報として、上記第１識別情報を上記認証装置に送信する第２識別情報送信部とを備えたことを特徴とする位置情報を用いた認証システム。
【請求項３】
上記認証管理サーバは、上記第１認証処理部による認証が成功した場合、当該認証を行ってから所定の時間が経過したか否かを判定する経過時間判定部をさらに備え、
上記第２識別情報送信部は、上記第１認証処理部による認証が成功した場合、上記経過時間判定部により上記所定の時間が経過したと判定されたときに、上記第２識別情報を上記認証装置に送信することを特徴とする請求項１または２に記載の位置情報を用いた認証システム。
【請求項４】
固定の場所に設置された情報発信装置から発信される情報に基づいて、認証管理サーバと協働して認証を行う認証装置であって、
上記情報発信装置から発信された、上記固定の場所を表す位置情報および第１識別情報として発行のたびに値が変動するワンタイムＩＤを含む第１認証情報を受信し、当該第１認証情報を上記認証管理サーバに送信する第１認証情報送受信部と、
認証を許可する場所を表す位置情報および上記第１識別情報として上記情報発信装置が発信するワンタイムＩＤと同じワンタイムＩＤを含む第２認証情報を記憶する上記認証管理サーバにおいて実行される上記第１認証情報を用いた第１認証処理で認証に成功した場合に、上記認証管理サーバから、第２識別情報として、発行のたびに値が変動するワンタイムＩＤであって、上記認証管理サーバに記憶されたワンタイムＩＤと同じ値のワンタイムＩＤを受信する第２識別情報受信部と、
上記情報発信装置から発信された上記第１認証情報のうちの上記第１識別情報と、上第２記識別情報受信部により受信された上記第２識別情報とを照合して第２認証処理を行う第２認証処理部とを備えたことを特徴とする認証装置。
【請求項５】
固定の場所に設置された情報発信装置から発信される情報に基づいて、認証管理サーバと協働して認証を行う認証装置であって、
上記情報発信装置から発信された、上記固定の場所を表す位置情報および第１識別情報として発行のたびに値が変わらない固定ＩＤを含む第１認証情報を受信し、当該第１認証情報を上記認証管理サーバに送信する第１認証情報送受信部と、
上記認証管理サーバにおいて実行される上記第１認証情報を用いた第１認証処理で認証に成功した場合に、上記認証管理サーバから、第２識別情報として上記第１識別情報を受信する第２識別情報受信部と、
上記情報発信装置から発信された上記第１認証情報のうちの上記第１識別情報と、上第２記識別情報受信部により受信された上記第２識別情報とを照合して第２認証処理を行う第２認証処理部とを備えたことを特徴とする認証装置。
【請求項６】
固定の場所に設置された情報発信装置から発信される情報に基づいて、認証装置と協働して認証を行う認証管理サーバであって、
上記情報発信装置から上記認証装置に対して発信された、上記固定の場所を表す位置情報および第１識別情報として発行のたびに値が変動するワンタイムＩＤを含む第１認証情報を上記認証装置から受信する第１認証情報受信部と、
認証を許可する場所を表す位置情報および上記第１識別情報として上記情報発信装置の上記第１認証情報発信部が発信するワンタイムＩＤと同じワンタイムＩＤを含む第２認証情報を記憶する第２認証情報記憶部と、
上記第１認証情報受信部により受信された上記第１認証情報と上記第２認証情報記憶部に記憶されている上記第２認証情報とを照合して認証を行う第１認証処理部と、
上記第１認証処理部による認証が成功した場合、上記認証装置において上記第１識別情報との照合により第２認証処理を行うための情報として、発行のたびに値が変動するワンタイムＩＤであって、上記第２認証情報記憶部に記憶されたワンタイムＩＤと同じ値のワンタイムＩＤを上記第２識別情報として上記認証装置に送信する第２識別情報送信部とを備えたことを特徴とする認証管理サーバ。
【請求項７】
固定の場所に設置された情報発信装置から発信される情報に基づいて、認証装置と協働して認証を行う認証管理サーバであって、
上記情報発信装置から上記認証装置に対して発信された、上記固定の場所を表す位置情報および第１識別情報として発行のたびに値が変わらない固定ＩＤを含む第１認証情報を上記認証装置から受信する第１認証情報受信部と、
認証を許可する場所を表す位置情報および上記第１識別情報を含む第２認証情報を記憶する第２認証情報記憶部と、
上記第１認証情報受信部により受信された上記第１認証情報と上記第２認証情報記憶部に記憶されている上記第２認証情報とを照合して認証を行う第１認証処理部と、
上記第１認証処理部による認証が成功した場合、上記認証装置において上記第１識別情報との照合により第２認証処理を行うための情報として、上記第１識別情報を上記第２識別情報として上記認証装置に送信する第２識別情報送信部とを備えたことを特徴とする認証管理サーバ。
【発明の詳細な説明】
【技術分野】
【０００１】
本発明は、位置情報を用いた認証システム、認証装置および認証管理サーバに関し、特に、位置情報に基づいて認証を行う技術に関するものである。
【背景技術】
【０００２】
一般に、金銭や貴重品等の物品を輸送する際には、施錠可能な輸送容器が利用される。施錠可能な輸送容器に物品を収納して輸送することにより、輸送途中における物品の盗難、紛失、漏洩等のリスクを回避し、輸送元から輸送先へ物品を確実に届けることが可能となる。
【０００３】
例えば、荷送人と荷受人にＩＣカードを配布し、ＩＣカードの荷送人情報と荷受人情報とを用いて照合判定することにより、施錠指令および解錠指令を輸送容器に対して行うようにした輸送容器管理システムが知られている（例えば、特許文献１参照）。
【０００４】
この特許文献１に記載のシステムでは、荷送場所および荷受場所のそれぞれに設置されたカードリーダ／ライタが、荷送人指定情報および荷受人指定情報をそれぞれ記憶手段に記憶する。荷送場所のカードリーダ／ライタは、荷送人のＩＣカードから荷送人特定情報を読み取って記憶手段の荷送人指定情報と比較し、両者が一致と判定したときに施錠指令を生成して電子錠の施錠を行う。また、荷受場所のカードリーダ／ライタは、荷受人のＩＣカードから荷受人特定情報を読み取って記憶手段の荷受人指定情報と比較し、両者が一致と判定したときに解錠指令を生成して電子錠の解錠を行う。
【０００５】
また、施錠情報および解錠情報を輸送元および輸送先とは別の場所にあるセンタ装置で電子的に管理し、荷送人および荷受人がそれぞれ施錠／解錠要求をインターネット経由でセンタ装置に通知することにより、施錠情報および解錠情報をセンタ装置から輸送容器に送信するようにした施解錠制御システムも知られている（例えば、特許文献２参照）。
【０００６】
この特許文献２に記載のシステムでは、センタ装置は、発送者の発送端末から施錠依頼の情報が入力されると、データベースを参照し、発送者の顧客ＩＤが登録されているか、パスワードが一致するか、受領者の顧客ＩＤが登録されているか、配達に用いる配送容器のケース端末ＩＤが登録されているか否か照合する。そして、施錠依頼情報とデータベースに記憶されている情報とが一致する場合、センタ装置は、配送容器の電気錠に設定される暗証番号を生成する。さらに、センタ装置は、配送容器のケース端末に対し、生成した暗証番号を含む施錠指示信号を送信して施錠指示を行う。
【０００７】
同様に、センタ装置は、受領者の受領端末から解錠依頼の情報が入力されると、データベースを参照し、受領者の顧客ＩＤが登録されているか、パスワードが一致するか、その顧客が受領者に指定されているか否かを照合する。そして、解錠依頼情報とデータベースに記憶されている情報とが一致する場合、センタ装置は、ケース端末ＩＤで特定されるケース端末に対し、暗証番号を含む解錠指示信号を送信して解錠指示を行う。
【０００８】
なお、上記特許文献１に記載のシステムにおいては、解錠に用いる情報を記憶した物理的なＩＣカードの紛失や盗難などによって荷物へ不正にアクセスされる可能性を排除することはできない。また、上記特許文献２に記載のシステムにおいては、発送者および受領者が自身の識別情報（顧客ＩＤおよびパスワード）を用いてセンタ装置にアクセスし、施錠要求または解錠要求の情報を入力するようにしている。そのため、識別情報の盗難や偽造などによって荷物へ不正にアクセスされる可能性を排除することはできない。
【０００９】
一方、物理的なＩＣカードや、荷送人および荷受人の識別情報を必要としない輸送容器管理システムが知られている（例えば、特許文献３参照）。この特許文献３に記載のシステムでは、輸送容器の鍵機構を解錠すべき輸送先の位置情報を記憶手段に予め記憶する。そして、鍵機構の解錠操作時に、記憶手段に記憶されている輸送先の位置情報と、位置検出手段により検出された現在の所在位置情報とを照合してこれらの位置情報が一致するか否かを判定し、一致すると判定された場合に鍵機構の解錠を指示する。
【００１０】
しかしながら、この特許文献３に記載のシステムでは、位置情報としてＧＰＳ信号を用いた場合、現在位置情報の偽造が可能である。したがって、特許文献３に記載のシステムでは、現在位置情報の偽造によって荷物へ不正にアクセスされる可能性を排除することはできない。これに対し、現在位置情報による認証とパスワードによる認証とを組み合わせた技術も提案されている（例えば、特許文献４，５参照）。
【００１１】
特許文献４に記載のシステムでは、配達員のＩＣカードのメモリに対し、荷物のタグＩＤ番号、荷物の届け先指定位置座標データ、届け先指定時刻データからなる認証指定地点時刻データと、予め荷物の受取人に知らされている受取人認証用パスワードを暗号化したパスワード暗号データとを記録する。そして、荷物を受取人に届けた地点と時刻を表すＧＰＳ位置座標データと時刻データが、認証指定地点時刻データに一致した場合に、ＩＣカードが受取人から受取人認証用パスワードを受け取り暗号化し、パスワード暗号データと比較することで受取人を認証する。
【００１２】
また、特許文献５に記載のシステムでは、位置確認装置を通じて輸送車の走行位置を確認し、この走行位置を情報センタに送信する。情報センタでは、輸送車が目的地に到着した時点で初めてパスワード等のＩＤを発行し、施解錠制御部においてＩＤを登録すると当時に、当該ＩＤを荷受人に電話またはＦＡＸ等により連絡し、荷受人からのＩＤの入力により解錠が可能な状態とする。
【００１３】
上記特許文献４，５に記載のシステムによれば、ＧＰＳ信号等の現在位置情報の偽造が行われても、正しいパスワードを入力しなければ、荷物へアクセスすることはできない。この点で、単に現在位置情報のみを用いて認証を行う特許文献３の技術に比べて、セキュリティを強化することができる。しかしながら、現在位置情報の偽造に加えてパスワードの偽造も行われると、荷物へ不正にアクセスされることを防ぐことができないという問題があった。
【先行技術文献】
【特許文献】
【００１４】
【特許文献１】特開２０１０−６５３９２号公報
【特許文献２】特開２００６−３３６２５５号公報
【特許文献３】特開平８−２１８７３２号公報
【特許文献４】特開２０１４−６５５５７号公報
【特許文献５】特開平１１−３４５３７４号公報
【発明の概要】
【発明が解決しようとする課題】
【００１５】
本発明は、このような問題を解決するために成されたものであり、位置情報に基づいて認証を行う認証システムにおいて、不正な認証をより確実に防止して、セキュリティを強化できるようにすることを目的とする。
【課題を解決するための手段】
【００１６】
上記した課題を解決するために、本発明の認証システムでは、固定の場所に設置された情報発信装置から発信される位置情報および第１識別情報を含む第１認証情報を、認証装置で受信して認証管理サーバに送信し、認証管理サーバに記憶されている第２認証情報との照合により、認証管理サーバにおいて第１認証処理を行う。さらに、本発明の認証システムでは、第１認証に成功した場合に認証管理サーバから認証装置に送信される第２識別情報と、上記情報発信装置から発信される第１識別情報との照合により、認証装置において第２認証処理を行うようにしている。
【発明の効果】
【００１７】
上記のように構成した本発明によれば、認証管理サーバにおける第１認証処理により、認証を許可する正しい場所に認証装置が存在するか否かが位置情報に基づいて判定されるとともに、識別情報の正当性が判定される。さらに、この第１認証処理において認証が成功となった場合に、当該第１認証処理の後に認証装置において実行される第２認証処理により、識別情報の正当性が再度判定される。
【００１８】
このように、本発明によれば、位置情報と識別情報との組み合わせによる認証処理が単に１回行われるだけでなく、その認証処理の後に識別情報による認証処理がさらに行われる。このため、偽造した位置情報と偽造した識別情報とを単に１回発信させて認証装置に受信させても、それだけでは認証を成功させることはできない。これにより、位置情報に基づいて認証を行う認証システムにおいて、不正な認証をより確実に防止して、セキュリティを強化することができる。
【図面の簡単な説明】
【００１９】
【図１】第１の実施形態による位置情報を用いた認証システムの全体構成例を示す図である。
【図２】第１の実施形態による認証システムの機能構成例を示すブロック図である。
【図３】第１の実施形態による認証装置の動作例を示すフローチャートである。
【図４】第１の実施形態による認証管理サーバの動作例を示すフローチャートである。
【図５】第１の実施形態による認証システムの実施例を示す図である。
【図６】第２の実施形態による認証システムの機能構成例を示すブロック図である。
【図７】第１および第２の実施形態による認証システムの他の実施例を示す図である。
【図８】第１および第２の実施形態による認証システムの他の実施例を示す図である。
【発明を実施するための形態】
【００２０】
（第１の実施形態）
以下、本発明による第１の実施形態を図面に基づいて説明する。図１は、第１の実施形態による位置情報を用いた認証システムの全体構成例を示す図である。本実施形態の認証システムは、施錠可能な輸送容器に物品を収納して輸送する際に、輸送元で認証を行うことによって輸送容器を施錠し、輸送先で認証を行うことによって輸送容器を解錠するものである。
【００２１】
図１に示すように、本実施形態の認証システムは、輸送元として許可された固定の場所に設置された情報発信装置１００-1と、輸送先として許可された固定の場所に設置された情報発信装置１００-2と、認証装置を内蔵した輸送容器２００と、遠隔の管理センタ等に設置された認証管理サーバ３００とを備え、情報発信装置１００-1，１００-2から発信される情報に基づいて認証を行うように成されている。
【００２２】
情報発信装置１００-1，１００-2は、荷送を行う輸送元および荷受を行う輸送先として許可された固定の場所を表す位置情報（例えば、経緯度情報や位置を特定するＩＤ情報）と、所定の第１識別情報（例えば、自装置に固有のデバイスＩＤ）とを発信する。情報発信装置１００-1，１００-2は、この位置情報および第１識別情報を一定の時間間隔で常時発信している。ここで、位置情報は、例えば、屋内測位技術「ＩＭＥＳ（Indoor MEssaging System）」を利用して取得されるものである。
【００２３】
なお、以下では、情報発信装置を位置情報発信デバイスと呼び、第１識別情報をデバイスＩＤ-1と呼ぶことにする。また、輸送元および輸送先の位置情報発信デバイス１００-1，１００-2を単に位置情報発信デバイス１００と総称する。
【００２４】
輸送容器２００は、安全性および信頼性の高いセキュアな認証を必要とする物品や情報（例えば、貴重品等の物品）を保管するためのものであり、認証装置を内蔵している。認証装置は、位置情報発信デバイス１００との間で無線通信を行うとともに、認証管理サーバ３００との間でインターネット等の通信ネットワークを介して通信する機能を有している。
【００２５】
また、認証装置は、認証管理サーバ３００と協働して、輸送容器２００の施錠／解錠を許可するか否かの認証を行う。具体的には、認証装置は、位置情報発信デバイス１００から受信した位置情報およびデバイスＩＤ-1と、後述する輸送容器ＩＤとを含む認証情報（以下、第１認証情報という）を認証管理サーバ３００に送信する。また、認証装置は、認証管理サーバ３００から送られてくる第２識別情報（後述する）に基づいて、後述する第２認証処理を行う。
【００２６】
認証管理サーバ３００は、輸送容器２００に内蔵された認証装置と協働して、輸送容器２００の施錠／解錠を許可するか否かの認証を行う。具体的には、認証管理サーバ３００は、輸送元と輸送先の位置情報発信デバイス１００-1，１００-2および輸送容器２００に関する情報（位置情報、デバイスＩＤ-1および輸送容器ＩＤ）を第２認証情報として管理している。認証管理サーバ３００は、この第２認証情報と、認証装置から送られてくる第１認証情報とに基づいて、後述する第１認証処理を行う。
【００２７】
このように、第１の実施形態では、認証管理サーバ３００で行う第１認証処理に加え、輸送容器２００の認証装置で第２認証処理を行う点を大きな特徴としている。認証管理サーバ３００では、輸送容器２００から第１認証情報として送信されてくる位置情報、デバイスＩＤ-1および輸送容器ＩＤが、認証管理サーバ３００があらかじめ第２認証情報として記憶している位置情報、デバイスＩＤ-1および輸送容器ＩＤと一致するか否かを照合することによって第１認証を行う。
【００２８】
認証管理サーバ３００での第１認証に成功すると、認証管理サーバ３００は、第２識別情報（以下、デバイスＩＤ-2という）を輸送容器２００の認証装置に送信する。ここで送信するデバイスＩＤ-2は、認証管理サーバ３００が輸送容器２００の認証装置から第１認証情報の一部として受信したデバイスＩＤ-1であり、認証管理サーバ３００はこのデバイスＩＤ-1を第２認証のためにデバイスＩＤ-2として輸送容器２００の認証装置に送信する。認証装置は、認証管理サーバ３００から送られてくるデバイスＩＤ-2と、位置情報発信デバイス１００から再び受信されるデバイスＩＤ-1とが一致するか否かを照合することによって認証（第２認証）を行う。
【００２９】
本実施形態では、認証管理サーバ３００での第１認証に続いて、輸送容器２００の認証装置での第２認証に成功した場合に、輸送容器２００の施錠または解錠が可能な状態となる。例えば、輸送元の場合、認証管理サーバ３００はデバイスＩＤ-2と共に施錠コマンドを輸送容器２００に送信し、輸送容器２００での第２認証に成功した場合に、施錠コマンドを使える状態にする。輸送先の場合も同様に、認証管理サーバ３００はデバイスＩＤ-2と共に解錠コマンドを輸送容器２００に送信し、輸送容器２００での第２認証に成功した場合に、解錠コマンドを使える状態にする。
【００３０】
図２は、第１の実施形態による位置情報発信デバイス１００、輸送容器２００および認証管理サーバ３００がそれぞれ備える機能構成例を示すブロック図である。なお、位置情報発信デバイス１００、輸送容器２００および認証管理サーバ３００がそれぞれ備える各機能ブロックは、ハードウェア、ＤＳＰ（Digital Signal Processor）、ソフトウェアの何れによっても構成することが可能である。例えばソフトウェアによって構成する場合、各機能ブロックは、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００３１】
図２に示すように、位置情報発信デバイス１００は、その機能構成として、第１認証情報発信部１１を備えている。
【００３２】
輸送容器２００は、認証装置２０１および電子鍵装置２０２を備えている。認証装置２０１は、その機能構成として、第１認証情報送受信部２１、第２識別情報受信部２２および第２認証処理部２３を備えている。また、電子鍵装置２０２は、その機能構成として、施錠／解錠指示部２４および鍵処理部２５を備えている。
【００３３】
認証管理サーバ３００は、その機能構成として、第１認証情報受信部３１、第１認証処理部３２、経過時間判定部３３および第２識別情報送信部３４を備えている。また、認証管理サーバ３００は、第２認証情報記憶部３０を備えている。
【００３４】
位置情報発信デバイス１００の第１認証情報発信部１１は、第１認証情報の一部を構成する情報として、固定の場所を表す位置情報およびデバイスＩＤ-1を発信する。第１認証情報発信部１１は、位置情報およびデバイスＩＤ-1を一定の時間間隔で常時発信している。
【００３５】
ここで、輸送元として許可された場所に設置された位置情報発信デバイス１００-1の場合、第１認証情報発信部１１は、輸送元の場所を表す位置情報（例えば、ＩＭＥＳを利用した経緯度情報）と、自装置に固有のデバイスＩＤ-1とを発信する。また、輸送先として許可された場所に設置された位置情報発信デバイス１００-2の場合、第１認証情報発信部１１は、輸送先の場所を表す位置情報と、自装置に固有のデバイスＩＤ-1とを発信する。デバイスＩＤ-1は、発信のたびに値が変わらない固定ＩＤである。
【００３６】
輸送容器２００が備える認証装置２０１の第１認証情報送受信部２１は、位置情報発信デバイス１００の第１認証情報発信部１１から発信された位置情報およびデバイスＩＤ-1を無線通信により受信する。また、第１認証情報送受信部２１は、当該受信した位置情報およびデバイスＩＤ-1に対して輸送容器２００に固有の輸送容器ＩＤを加えて第１認証情報を構成し、当該第１認証情報を、インターネットを介して認証管理サーバ３００に送信する。なお、輸送容器２００の輸送容器ＩＤは、認証装置２０１の図示しないメモリにあらかじめ記憶しておく。
【００３７】
また、第１認証情報送受信部２１は、位置情報発信デバイス１００から受信したデバイスＩＤ-1を第２認証処理部２３に供給する。
【００３８】
認証管理サーバ３００の第１認証情報受信部３１は、認証装置２０１の第１認証情報送受信部２１から送信された第１認証情報（位置情報発信デバイス１００の位置情報とデバイスＩＤ-1および輸送容器２００の輸送容器ＩＤ）を受信する。
【００３９】
第２認証情報記憶部３０は、認証を許可する輸送元および輸送先の場所を表す位置情報、位置情報発信デバイス１００のデバイスＩＤ-1および輸送容器２００の輸送容器ＩＤを含む第２認証情報をあらかじめ記憶する。すなわち、第２認証情報記憶部３０は、どの輸送容器２００を用いてどの場所から荷送を行い、それをどの場所で荷受するかを定めた輸送計画に従って、輸送元での認証に使用する位置情報、デバイスＩＤ-1および輸送容器ＩＤを含む第２認証情報を記憶するとともに、輸送先での認証に使用する位置情報、デバイスＩＤ-1および輸送容器ＩＤを含む第２認証情報を記憶する。
【００４０】
また、第２認証情報記憶部３０は、輸送先に関して、輸送容器２００が到着する時間帯（一定の時間幅を有する）と、認証管理サーバ３００が認証装置２０１に対してデバイスＩＤ-2を送信する時間帯（一定の時間幅を有する）とを更に記憶している。到着時間帯は、認証管理サーバ３００が輸送容器２００の認証装置２０１からデバイスＩＤ-1を含む第１認証情報を受信する時間帯の計画値である。一方、送信時間帯は、到着時間帯よりもある時間だけ遅いタイミングに設定された、デバイスＩＤ-2を送信する時間帯の計画値である。
【００４１】
輸送容器２００が到着時間帯内に輸送先に到着すると、その時点で認証装置２０１から認証管理サーバ３００に第１認証情報が送信されて、認証管理サーバ３００にて第１認証処理が行われる。そして、この第１認証に成功すると、その後の送信時間帯において認証管理サーバ３００から認証装置２０１にデバイスＩＤ-2が送信されて、認証装置２０１にて第２認証処理が行われる。なお、到着時間帯以外の時間に第１認証情報が認証管理サーバ３００に送信された場合、認証は失敗となる。
【００４２】
すなわち、本実施形態では、輸送先には、到着した輸送容器２００を置くべき正しい設置場所が設けられている。この正しい設置場所は、位置情報発信デバイス１００から発信される位置情報およびデバイスＩＤ-1を受信可能な無線通信圏内に設定されている。輸送容器２００が輸送先に到着して位置情報発信デバイス１００の無線通信圏内に入ると、その時点で認証装置２０１から認証管理サーバ３００に第１認証情報が送信され、第１認証処理が行われる。その後、輸送容器２００が正しい設置場所に運ばれ、第１認証の成功から所定の時間が経過した時点で、認証管理サーバ３００から認証装置２０１にデバイスＩＤ-2が送信され、第２認証処理が行われる。
【００４３】
なお、輸送先によっては、輸送容器２００が到着して第１認証情報が認証管理サーバ３００に送信されてから、認証管理サーバ３００がデバイスＩＤ-2を輸送容器２００に送信するまでの時間がゼロでもよい場合がある。その場合には、到着時間帯と送信時間帯とに時間差を持たせずに、第１認証処理を行った後すぐにデバイスＩＤ-2を送信するようにしてもよい。
【００４４】
第１認証処理部３２は、第１認証情報受信部３１により受信された第１認証情報と、第２認証情報記憶部３０に記憶されている第２認証情報とを照合して第１認証を行う。すなわち、第１認証処理部３２は、第１認証情報に含まれている位置情報、デバイスＩＤ-1および輸送容器ＩＤと、第２認証情報に含まれている位置情報、デバイスＩＤ-1および輸送容器ＩＤとがそれぞれ一致するか否かを判定し、全て一致する場合は認証成功、１つでも相違があれば認証失敗とする。この第１認証処理を行うことにより、計画通りの輸送容器２００を使って、計画通りの輸送元から輸送先へ輸送が正しく行われているか否かを確認することができる。
【００４５】
経過時間判定部３３は、第１認証処理部３２による第１認証が成功した場合、当該第１認証処理を行ってから所定の時間が経過したか否かを判定する。第２識別情報送信部３４は、第１認証処理部３２による第１認証が成功した場合、デバイスＩＤ-2を認証装置２０１に送信する。本実施形態では、第２識別情報送信部３４は、第１認証処理部３２による第１認証処理において使用したデバイスＩＤ-1を、デバイスＩＤ-2として認証装置２０１に送信する。
【００４６】
ここで、第２識別情報送信部３４は、第１認証処理部３２による第１認証が成功した場合に、デバイスＩＤ-2を直ちに認証装置２０１に送信するのではなくて、経過時間判定部３３により所定の時間が経過したと判定されたときに送信する。通常は、認証処理はわずかな時間で済んでしまうが、第１認証処理が終わったときに所定の時間の経過を待つことにより、認証管理サーバ３００での第１認証処理と認証装置２０１での第２認証処理とを意図的に時間差をもって実行させるようにしている。
【００４７】
このように第１認証処理の実行から第２認証処理の実行まで時間差を持たせているのは、上述のように、輸送容器２００が位置情報発信デバイス１００の無線通信圏内に入ってから正しい設置場所に運ばれるまでに要する時間を考慮したものである。時間差を持たせることにより、輸送容器２００が位置情報発信デバイス１００の無線通信圏内に到着してすぐに、第２認証処理まで実行されて解錠されてしまうことを防ぐことができる。つまり、輸送容器２００が位置情報発信デバイス１００の無線通信圏内に入っても、所定の時間が経過しないと解錠することができないように時間制限をかけることができる。
【００４８】
第２識別情報送信部３４は、認証装置２０１にデバイスＩＤ-2を送信する際に、施錠コマンドまたは解錠コマンドも送信する。ここで、輸送元で行われた第１認証処理において認証が成功した場合、第２識別情報送信部３４はデバイスＩＤ-2と施錠コマンドとを認証装置２０１に送信する。一方、輸送先で行われた第１認証処理において認証が成功した場合、第２識別情報送信部３４はデバイスＩＤ-2と解錠コマンドとを認証装置２０１に送信する。
【００４９】
認証装置２０１の第２識別情報受信部２２は、認証管理サーバ３００の第２識別情報送信部３４から送信されたデバイスＩＤ-2および施錠／解錠コマンドを受信する。
【００５０】
第２認証処理部２３は、第１認証情報送受信部２１により受信されたデバイスＩＤ-1と、第２識別情報受信部２２により受信されたデバイスＩＤ-2とを照合して第２認証処理を行う。ここで、デバイスＩＤ-1は、第２識別情報受信部２２が認証管理サーバ３００からデバイスＩＤ-2を受信したタイミングで第１認証情報送受信部２１により新たに受信されるものである。
【００５１】
第２認証処理部２３は、第１認証情報送受信部２１で受信したデバイスＩＤ-1と、第２識別情報受信部２２で受信したデバイスＩＤ-2とが一致するか否かを判定し、一致する場合は認証成功、一致しない場合は認証失敗とする。この第２認証処理部２３による第２認証処理を行うことにより、輸送元または輸送先の正しい場所で第１認証を受けた後、所定の時間を経過した後も引き続きその正しい場所に輸送容器２００が存在するか否かを確認することができる。
【００５２】
第２認証処理部２３は、第２認証に成功した場合、第２識別情報受信部２２が認証管理サーバ３００から受信していた施錠コマンドまたは解錠コマンドを電子鍵装置２０２の施錠／解錠指示部２４に送信する。電子鍵装置２０２の施錠／解錠指示部２４は、この施錠コマンドまたは解錠コマンドを受けると、鍵処理部２５に実行命令を与えることにより、電子鍵装置２０２の施錠または解錠を行う。
【００５３】
図３は、上記のように構成した第１の実施形態による認証装置２０１の動作例を示すフローチャートである。この図３に示すフローチャートは、認証装置２０１が位置情報発信デバイス１００の無線通信圏内に入り、位置情報発信デバイス１００から信号を受信できるようになった状態のときに開始する。
【００５４】
まず、第１認証情報送受信部２１は、位置情報発信デバイス１００から発信された第１認証情報の一部である位置情報およびデバイスＩＤ-1を受信したか否かを判定する（ステップＳ１）。第１認証情報送受信部２１は、位置情報発信デバイス１００から位置情報およびデバイスＩＤ-1を受信した場合、当該受信した位置情報およびデバイスＩＤ-1に輸送容器ＩＤを加えて第１認証情報を構成し、当該第１認証情報を認証管理サーバ３００に送信する（ステップＳ２）。なお、図３のフローチャートでは図示を省略しているが、認証装置２０１が位置情報発信デバイス１００の無線通信圏内に入った後は、第１認証情報送受信部２１は位置情報発信デバイス１００から発信された位置情報およびデバイスＩＤ-1を一定の時間間隔で常時受信する。
【００５５】
次に、第２識別情報受信部２２は、認証管理サーバ３００からデバイスＩＤ-2および施錠／解錠コマンドを受信したか否かを判定する（ステップＳ３）。デバイスＩＤ-2および施錠／解錠コマンドを受信していない場合、ステップＳ３の判定処理を繰り返す。
【００５６】
なお、第１認証情報送受信部２１がＩＭＥＳデバイス１００から受信した位置情報およびデバイスＩＤ-1を一度認証管理サーバ３００に送信した後は、認証管理サーバ３００から応答がある前にＩＭＥＳデバイス１００から再び位置情報およびデバイスＩＤ-1を受信しても、輸送容器ＩＤを加えた第１認証情報を認証管理サーバ３００に送信しないようにするのが好ましい。
【００５７】
図３のフローチャートには図示していないが、認証管理サーバ３００からデバイスＩＤ-2および施錠／解錠コマンドを所定のタイムアウト時間内に受信しない場合、認証管理サーバ３００で行われた第１認証に失敗したことを意味する。よって、この場合は、図３に示すフローチャートの処理を終了する。すなわち、輸送容器２００の施錠または解錠は行わない。なお、ここではタイムアウト時間を設定する例を説明したが、第１認証に失敗したことを認証管理サーバ３００から輸送容器２００に通知するようにしてもよい。
【００５８】
一方、ステップＳ３で認証管理サーバ３００からデバイスＩＤ-2および施錠／解錠コマンドを受信した場合、第２認証処理部２３は、第１認証情報送受信部２１により受信された最新のデバイスＩＤ-1と、第２識別情報受信部２２により受信されたデバイスＩＤ-2とを照合して第２認証処理を行う（ステップＳ４）。
【００５９】
そして、第２認証処理部２３は、第２認証に成功したか否か、すなわち、位置情報発信デバイス１００から受信したデバイスＩＤ-1と、認証管理サーバ３００から受信したデバイスＩＤ-2とが一致したか否かを判定する（ステップＳ５）。ここで、第２認証に失敗したと判定した場合、第２認証処理部２３は、認証管理サーバ３００から受信した施錠／解錠コマンドを破棄し（ステップＳ６）、図３に示すフローチャートの処理を終了する。
【００６０】
一方、第２認証に成功したと判定した場合、第２認証処理部２３は、認証管理サーバ３００から受信した施錠／解錠コマンドを電子鍵装置２０２の施錠／解錠指示部２４に送信する（ステップＳ７）。これにより、電子鍵装置２０２の施錠／解錠指示部２４から鍵処理部２５に実行命令が与えられることにより、電子鍵装置２０２の施錠または解錠が行われる。そして、図３に示すフローチャートの処理を終了する。
【００６１】
図４は、第１の実施形態による認証管理サーバ３００の動作例を示すフローチャートである。この図４に示すフローチャートの処理は、認証管理サーバ３００の電源がオンとされている間は常に実行されている。
【００６２】
まず、第１認証情報受信部３１は、輸送容器２００の認証装置２０１から第１認証情報を受信したか否かを判定する（ステップＳ１１）。第１認証情報を受信していない場合は、ステップＳ１１の判定処理を繰り返す。認証装置２０１から第１認証情報を受信すると、第１認証処理部３２は、第１認証情報受信部３１により受信された第１認証情報と、第２認証情報記憶部３０に記憶されている第２認証情報とを照合して第１認証処理を行う（ステップＳ１２）。
【００６３】
そして、第１認証処理部３２は、第１認証に成功したか否か、すなわち、認証装置２０１から受信した第１認証情報に含まれている位置情報、デバイスＩＤ-1および輸送容器ＩＤと、第２認証情報記憶部３０に記憶されている第２認証情報に含まれている位置情報、デバイスＩＤ-1および輸送容器ＩＤとがそれぞれ一致するか否かを判定する（ステップＳ１３）。また、ここでは、計画値として第２認証情報記憶部３０に記憶されている到着時間帯内に第１認証情報が送信されてきたか否かについても判定する。
【００６４】
ここで、第１認証に失敗したと判定した場合、特に何もせずに、図４に示すフローチャートの処理を終了する。一方、第１認証に成功したと判定した場合、経過時間判定部３３は、第１認証処理部３２が第１認証処理を行ってから所定の時間が経過したか否かを判定する（ステップＳ１４）。所定の時間が経過していない場合は、ステップＳ１４の判定処理を繰り返す。
【００６５】
第１認証処理部３２が第１認証処理を行ってから所定の時間が経過すると、第２識別情報送信部３４は、第１認証処理部３２による第１認証処理において使用したデバイスＩＤ-1をデバイスＩＤ-2として認証装置２０１に送信するとともに、施錠／解錠コマンドを認証装置２０１に送信する（ステップＳ１５）。これにより、図４に示すフローチャートの処理を終了する。
【００６６】
図５は、上述した第１の実施形態による認証システムの実施例を示す図である。ここでは、輸送容器２００の輸送先で認証を行う場合の例を示している。正当な荷送人が輸送容器２００を正しい輸送先（認証管理サーバ３００の第２認証情報記憶部３０に輸送計画に従って第２認証情報として記憶された位置情報により示される場所）に輸送した場合、その正しい輸送先に設置されている位置情報発信デバイス１００-1から輸送容器２００に正しい位置情報およびデバイスＩＤ-1が送信され（Ｐ１）、輸送容器ＩＤを加えて構成した正しい第１認証情報が認証管理サーバ３００に送信される（Ｐ２）。
【００６７】
これにより、正しい第１認証情報に基づいて認証管理サーバ３００にて第１認証処理が行われ、第１認証は成功となる（Ｐ３）。その後、認証管理サーバ３００から輸送容器２００の認証装置２０１にデバイスＩＤ-2が送信され（Ｐ４）、その時点で位置情報発信デバイス１００-1から再び受信される正しいデバイスＩＤ-1と（Ｐ５）、上記デバイスＩＤ-2とに基づいて認証装置２０１にて第２認証処理が行われる。そして、この第２認証も成功となり（Ｐ６）、輸送容器２００の解錠が正常に行われる。
【００６８】
一方、不正の第三者が輸送容器２００を不正な場所に輸送した場合、そこには正しい位置情報発信デバイス１００-1がないので、輸送容器２００は第１認証情報を認証管理サーバ３００に送信することができない。よって、認証管理サーバ３００にて第１認証処理が行われず、当然ながら認証装置２０１における第２認証処理も行われない。したがって、輸送容器２００を解錠することはできない。また、不正の第三者が、認証に第１識別情報が必要であることを知らず、位置情報のみを偽装して輸送容器２００に送信した場合は、認証管理サーバ３００にて第１認証処理が行われるものの、第１認証は失敗となり、輸送容器２００を解錠することはできない。
【００６９】
これに対して、不正の第三者が位置情報発信デバイス１００’を偽造して、偽造した位置情報およびデバイスＩＤ-1を輸送容器２００に送信すると（Ｐ１’）、その偽造された位置情報およびデバイスＩＤ-1を含む偽造第１認証情報が輸送容器２００から認証管理サーバ３００に送信され（Ｐ２’）、当該偽造第１認証情報に基づいて認証管理サーバ３００にて第１認証処理が行われる（Ｐ３’）。
【００７０】
ここで、認証管理サーバ３００に記憶されている第２認証情報と偽造第１認証情報とが一致すると、第１認証は成功となってしまう。この場合、認証管理サーバ３００から輸送容器２００の認証装置２０１にデバイスＩＤ-2が送信される（Ｐ４’）。しかし、第１認証処理に続いて認証装置２０１で第２認証処理が行われることを知らない不正の第三者は、偽装したデバイスＩＤ-1を再び輸送容器２００に送信することをしない。よって、この場合は第２認証が失敗となり、輸送容器２００を解錠することはできない。
【００７１】
以上詳しく説明したように、第１の実施形態では、輸送元および輸送先の場所に設置された位置情報発信デバイス１００から発信される位置情報およびデバイスＩＤ-1を含む第１認証情報を、認証装置２０１から認証管理サーバ３００に送信し、認証管理サーバ３００に記憶されている第２認証情報との照合により、認証管理サーバ３００において第１認証処理を行う。さらに、第１の実施形態では、第１認証に成功した場合に認証管理サーバ３００から認証装置２０１に送信されるデバイスＩＤ-2と、位置情報発信デバイス１００から発信されるデバイスＩＤ-1との照合により、認証装置２０１において第２認証処理を行うようにしている。
【００７２】
このように構成した第１の実施形態によれば、認証管理サーバ３００における第１認証処理により、認証を許可する正しい場所に輸送容器２００が存在するか否かが位置情報に基づいて判定されるとともに、識別情報の正当性が判定される。さらに、この第１認証処理において認証が成功となった場合に、当該第１認証処理から所定の時間差をもって認証装置２０１において実行される第２認証処理により、識別情報の正当性が再度判定される。
【００７３】
このように、第１の実施形態によれば、位置情報と識別情報との組み合わせによる第１認証処理が単に１回行われるだけでなく、その第１認証処理からある程度の時間差をもって識別情報による第２認証処理がさらに行われる。このため、偽造した位置情報と偽造したデバイスＩＤ-1とを単に１回発信させて認証装置２０１に受信させても、それだけでは認証を成功させることはできない。これにより、位置情報に基づいて認証を行う認証システムにおいて、位置情報と識別情報の偽装による不正な認証をより確実に防止して、セキュリティを強化することができる。
【００７４】
（第２の実施形態）
次に、本発明による第２の実施形態を図面に基づいて説明する。第２の実施形態による認証システムの全体構成は、図１と同様である。図６は、第２の実施形態による認証システムの機能構成例を示すブロック図である。なお、この図６において、図２に示した符号と同一の符号を付したものは同一の機能を有するものであるので、ここでは重複する説明を省略する。
【００７５】
図６に示すように、位置情報発信デバイス１００’は、ワンタイムＩＤ発行部１２およびＩＤ送信部１３をさらに備えている。また、位置情報発信デバイス１００’は、第１認証情報発信部１１に代えて第１認証情報発信部１１’を備えている。また、認証管理サーバ３００’は、ＩＤ受信部３５をさらに備えている。また、認証管理サーバ３００’は、第２認証情報記憶部３０および第２識別情報送信部３４に代えて第２認証情報記憶部３０’および第２識別情報送信部３４’を備えている。
【００７６】
位置情報発信デバイス１００’のワンタイムＩＤ発行部１２は、発行のたびに値が変動するワンタイムＩＤを発行する。このワンタイムＩＤ発行部１２は、一定の時間間隔でワンタイムＩＤを繰り返し発行する。第１認証情報発信部１１’は、ワンタイムＩＤ発行部１２により発行されたワンタイムＩＤを第１識別情報として、これと位置情報とを、無線通信技術を利用して一定の時間間隔で常時発信する。
【００７７】
ＩＤ送信部１３は、ワンタイムＩＤ発行部１２により発行されたワンタイムＩＤを、その都度インターネットを介して認証管理サーバ３００’に送信する。なお、送信されたワンタイムＩＤがネットワーク上で盗まれるかもしれないというリスクを考慮して、ワンタイムＩＤを暗号化して送信するのが好ましい。
【００７８】
認証管理サーバ３００’のＩＤ受信部３５は、位置情報発信デバイス１００’から送信されたワンタイムＩＤを受信する。そして、受信したワンタイムＩＤを、第２認証情報の中の第１識別情報として第２認証情報記憶部３０’に記憶させる。ワンタイムＩＤが暗号化されている場合は、これを復号化して第２認証情報記憶部３０’に記憶させる。
【００７９】
これにより、第２認証情報記憶部３０’には、認証を許可する輸送元および輸送先の場所を表す位置情報、位置情報発信デバイス１００’が発信するワンタイムＩＤと同じワンタイムＩＤ（第１識別情報）および輸送容器２００の輸送容器ＩＤを含む第２認証情報が随時更新して記憶される。
【００８０】
第１認証処理部３２は、ある時刻ｔにおいて第１認証情報受信部３１により受信された第１認証情報（ワンタイムＩＤ（ｔ）を含む）と、同じ時刻ｔに第２認証情報記憶部３０’に記憶された第２認証情報（ワンタイムＩＤ（ｔ）を含む）とを照合して第１認証処理を行う。すなわち、第１認証処理部３２は、第１認証情報に含まれている位置情報、ワンタイムＩＤ（ｔ）および輸送容器ＩＤと、第２認証情報に含まれている位置情報、ワンタイムＩＤ（ｔ）および輸送容器ＩＤとがそれぞれ一致するか否かを判定し、全て一致する場合は認証成功、１つでも相違があれば認証失敗とする。
【００８１】
第２識別情報送信部３４’は、第１認証処理部３２による第１認証が成功した場合、第２識別情報として、第２認証情報記憶部３０’からワンタイムＩＤ（ｔ＋Δ）を読み出して認証装置２０１に送信する。ここで送信するワンタイムＩＤ（ｔ＋Δ）は、第１認証処理が終了した時点から所定の時間Δが経過したと経過時間判定部３３により判定されたときに第２認証情報記憶部３０’に記憶されたワンタイムＩＤである。また、このワンタイムＩＤ（ｔ＋Δ）は、第１認証情報発信部１１’により、第１認証処理が終了した時点から所定の時間Δが経過した時点で発信されるワンタイムＩＤと同じ値のワンタイムＩＤである。
【００８２】
認証装置２０１の第２識別情報受信部２２は、認証管理サーバ３００’の第２識別情報送信部３４’から送信された第２識別情報（ワンタイムＩＤ（ｔ＋Δ））および施錠／解錠コマンドを受信する。第１認証情報送受信部２１は、第２識別情報受信部２２が認証管理サーバ３００’からワンタイムＩＤ（ｔ＋Δ）を受信したのと同期したタイミングで、同じワンタイムＩＤ（ｔ＋Δ）を位置情報発信デバイス１００’から無線通信により受信している。
【００８３】
なお、同期したタイミングとは、完全に同じ時刻を意味するものではない。すなわち、時刻ｔ＋Δの時点でワンタイムＩＤ発行部１２により発行されたワンタイムＩＤ（ｔ＋Δ）は、第１認証情報発信部１１’により認証装置２０１に送信される一方、ＩＤ送信部１３により認証管理サーバ３００’に送信されて第２認証情報記憶部３０’に記憶された後、第２識別情報送信部３４’によって認証管理サーバ３００’から認証装置２０１に送信される。したがって、第１認証情報送受信部２１が位置情報発信デバイス１００’からワンタイムＩＤ（ｔ＋Δ）を受信する時刻と、第２識別情報受信部２２が認証管理サーバ３００’からワンタイムＩＤ（ｔ＋Δ）を受信する時刻とは、通信の遅延に伴う僅かな時間差を有する。しかし、この時間差は、ワンタイムＩＤ発行部１２によりワンタイムＩＤが繰り返し発行される時間間隔に比べて十分に小さく、ワンタイムＩＤの同期という点において無視することができる。
【００８４】
第２認証処理部２３は、第１認証情報送受信部２１により受信された第１識別情報（ワンタイムＩＤ（ｔ＋Δ））と、第２識別情報受信部２２により受信された第２識別情報（ワンタイムＩＤ（ｔ＋Δ））とを照合して第２認証処理を行う。すなわち、第２認証処理部２３は、位置情報発信デバイス１００’から受信したワンタイムＩＤ（ｔ＋Δ）と、認証管理サーバ３００’から受信したワンタイムＩＤ（ｔ＋Δ）とが一致するか否かを判定し、一致する場合は認証成功、一致しない場合は認証失敗とする。
【００８５】
このように、第２の実施形態によれば、認証管理サーバ３００’における第１認証処理および認証装置２０１における第２認証処理に使用する識別情報としてワンタイムＩＤを用いている。これにより、第１の実施形態と比べて、位置情報と識別情報の偽装による不正な認証をより確実に防止して、より強いセキュリティを構築することができる。すなわち、第２の実施形態によれば、不正の第三者が２回の認証に成功しなければならない（つまり、偽造した識別情報を２回発行しなければならない）ことを知っていたとしても、識別情報はワンタイムＩＤとして常に変動していて特定が極めて困難であるため、認証に成功するような識別情報を偽造することが難しく、位置情報と識別情報の偽装による不正な認証をより確実に防止することができる。
【００８６】
なお、上記第２の実施形態では、位置情報発信デバイス１００’と認証管理サーバ３００’との間でワンタイムＩＤの同期をとる方法として、位置情報発信デバイス１００’で発行されたワンタイムＩＤを認証管理サーバ３００’に送信する方法について説明したが、本発明はこれに限定されない。例えば、認証管理サーバ３００’においてワンタイムＩＤを発行し、発行したワンタイムＩＤ（暗号化するのが好ましい）をＩＭＥＳデバイス１００’に送信することによって同期をとるようにしてもよい。
【００８７】
この場合、認証管理サーバ３００’におけるワンタイムＩＤの発行処理にかかる負荷を軽減するために、例えば以下のように処理するようにしてもよい。すなわち、認証管理サーバ３００’では、第１認証情報受信部３１が認証装置２０１から第１認証情報を受信するまでは、一定の時間間隔でワンタイムＩＤを発行して位置情報発信デバイス１００’に随時送信する。一方、第１認証情報受信部３１が認証装置２０１から第１認証情報を受信した後は、経過時間判定部３３により所定の時間が経過したと判定されるまで待って、所定の時間が経過したタイミングのみでワンタイムＩＤを発行して位置情報発信デバイス１００’に送信するようにする。
【００８８】
あるいは、負荷軽減のために以下のようにしてもよい。すなわち、位置情報発信デバイス１００’からは位置情報のみを一定の時間間隔で発信し続け、それを受信した認証装置２０１が位置情報を認証管理サーバ３００’に送信し、第１認証情報受信部３１がこの位置情報を受信したタイミングで、認証管理サーバ３００’が１回目のワンタイムＩＤを発行して位置情報発信デバイス１００’に送信する。これを受けて位置情報発信デバイス１００’は、位置情報およびワンタイムＩＤを認証装置２０１に送信する。
【００８９】
その後、認証装置２０１から認証管理サーバ３００’に送られる第１認証情報に基づいて第１認証処理を行い、その認証に成功した後、経過時間判定部３３により所定の時間が経過したと判定されたタイミングで、認証管理サーバ３００’が２回目のワンタイムＩＤを発行して位置情報発信デバイス１００’に送信する。なお、最初に認証管理サーバ３００’が認証装置２０１から位置情報のみを受信した際に、当該位置情報のみを用いた認証を行い、これに成功した場合にのみ１回目のワンタイムＩＤを発行するようにしてもよい。
【００９０】
また、位置情報発信デバイス１００’と認証管理サーバ３００’との間でワンタイムＩＤの同期をとる別の方法として、ワンタイムＩＤ発行部１２がワンタイムＩＤを発行する際に用いたインプット値を位置情報発信デバイス１００’から認証管理サーバ３００’に送信し、認証管理サーバ３００’においても同じインプット値を用いてワンタイムＩＤを発行するようにしてもよい。逆に、認証管理サーバ３００’から位置情報発信デバイス１００’にインプット値を送信し、認証管理サーバ３００’および位置情報発信デバイス１００’の双方において同じインプット値からそれぞれワンタイムＩＤを発行するようにしてもよい。このようにワンタイムＩＤを発行するためのインプット値を送信して同期をとる形態も、ワンタイムＩＤを送信して同期をとる形態と本質的には等価であり、本発明の範囲に含まれる。
【００９１】
あるいは、位置情報発信デバイス１００’と認証管理サーバ３００’との間で通信を行わず、オフラインでワンタイムＩＤの同期をとるようにしてもよい。例えば、時刻同期方式で位置情報発信デバイス１００’と認証管理サーバ３００’との双方がそれぞれ同じワンタイムＩＤを発行することによって同期をとることが可能である。すなわち、位置情報発信デバイス１００’では、トークンと呼ばれるパスワード発行器を用いて、時刻の経過に伴って値が変わるワンタイムＩＤを発行する。そして、位置情報発信デバイス１００’は、ワンタイムＩＤとデバイスＩＤと位置情報とを発信する。認証装置２０１は、第１認証情報（ワンタイムＩＤ、位置情報および輸送容器ＩＤ）とデバイスＩＤとを認証管理サーバ３００’に送信する。
【００９２】
一方、認証管理サーバ３００’では、どの位置情報発信デバイス１００’がどのトークンを使っているか、そして各トークンがどの時刻にどんなワンタイムＩＤを発行するかを把握している。そして、認証装置２０１から第１認証情報が送られてきた時刻と位置情報発信デバイス１００’のデバイスＩＤとを検証することにより、認証装置２０１から送られてくる第１認証情報に含まれているワンタイムＩＤと、認証管理サーバ３００’が把握している同じ時刻のワンタイムＩＤとの照合を行うことができる。
【００９３】
また、上記第１および第２の実施形態では、位置情報発信デバイス１００の偽造による輸送容器２００への不正なアクセスを防止する例について説明したが、本発明が効果を発揮する実施例はこれに限定されない。例えば、図７に示すように、まずは正しい輸送先に輸送容器２００を輸送して、正しい位置情報発信デバイス１００-1から取得した第１認証情報により第１認証処理を行った後、輸送容器２００を別の場所に移動して行おうとする不正なアクセスを防止することもできる。到着時間帯における第１認証に成功しても、その後の送信時間帯において不正な場所ではデバイスＩＤ-1を再び受けることができず、第２認証に失敗するからである。
【００９４】
また、上記第１および第２の実施形態では、輸送元での輸送容器２００の施錠および輸送先での輸送容器２００の解錠の際に実施する認証に認証装置２０１を適用する例について説明したが、本発明はこれに限定されない。例えば、輸送物の施錠／解錠ではなく、図８に示すように、モバイルスマートフォン、タブレット端末、ウェアラブル端末といった位置測位可能な可搬型情報処理端末において、画面表示、アプリケーションの起動、アプリケーションが有する機能の実行などに認証装置２０１による認証を適用し、認証に成功した場合に所定の実行コマンドを発行するようにしてもよい。
【００９５】
一例として、スマートフォンに認証装置２０１の機能を持たせ、チェックインを行うアプリケーションと協働して認証を行う実施例が挙げられる。すなわち、スマートフォンを持ったユーザが特定の場所（例えば、店舗や飲食店など）に行ってアプリケーションを起動し、チェックインボタンを押下したときにサーバから送られてくるクーポンやポイントなどを、認証管理サーバ３００で行われる第１認証およびスマートフォンで行われる第２認証が完了した時点で有効となるようにするといった実施例にも適用が可能である。
【００９６】
また、上記第１および第２の実施形態では、情報発信装置として位置情報発信デバイス１００，１００’を用い、ＩＭＥＳによる位置情報を発信する例について説明したが、本発明はこれに限定されない。例えば、ＧＰＳ（Global Positioning System）、Ｂｌｕｅｔｏｏｔｈ（登録商標）、ＢＬＥ（Bluetooth Low Energy）、音波、超音波または無線ＬＡＮで位置情報を発信するようにしてもよい。なお、ＩＭＥＳ、Ｂｌｕｅｔｏｏｔｈ（登録商標）、ＢＬＥ、音波、超音波、無線ＬＡＮは、屋内でも利用可能な点においてＧＰＳよりも好ましい。
【００９７】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００９８】
１１，１１’  第１認証情報発信部
１２  ワンタイムＩＤ発行部
１３  ＩＤ送信部
２１  第１認証情報送受信部
２２  第２識別情報受信部
２３  第２認証処理部
３０，３０’  第２認証情報記憶部
３１  第１認証情報受信部
３２  第１認証処理部
３３  経過時間判定部
３４，３４’  第２識別情報送信部
３５  ＩＤ受信部
１００，１００’  位置情報発信デバイス（情報発信装置）
２００  輸送容器
２０１  認証装置
３００，３００’  認証管理サーバ
【図１】
0006387284.tif 000002
【図２】
0006387284.tif 000003
【図３】
0006387284.tif 000004
【図４】
0006387284.tif 000005
【図５】
0006387284.tif 000006
【図６】
0006387284.tif 000007
【図７】
0006387284.tif 000008
【図８】
0006387284.tif 000009